(57)【要約】【課題】  洗眼器をほぼ水平状態で自立保持できるようにして、洗眼液入りボトルから洗眼液を注入する際に両手を使う必要が無くなるようにした洗眼器を提供する。【解決手段】  接眼部１３と液受部１２とでなる洗眼部１１と、つまみ部１４とが弾性変形可能な柔軟素材で一体成形されている洗眼器１０Ｄであって、上記洗眼部１１は楕円状に形成され、上記つまみ部１４には、長軸方向に偏平な偏平部１４ａが形成されるとともに、上記洗眼部１３には、つまみ部１４を下向きにした洗眼器１０Ｄをほぼ水平状態で自立保持させるためのアダプター１９が一体成形で設けられている。【選択図】  図７
2004337644.tif 000002
【特許請求の範囲】
【請求項１】
接眼部と液受部とでなる洗眼部と、つまみ部とが弾性変形可能な柔軟素材で一体成形されている洗眼器であって、
上記洗眼部は楕円状に形成され、上記つまみ部には、長軸方向に偏平な偏平部が形成されるとともに、上記洗眼部には、つまみ部を下向きにした洗眼器をほぼ水平状態で自立保持させるためのアダプターが一体成形で設けられていることを特徴とする洗眼器。
【請求項２】
請求項１記載の洗眼器と、洗眼液入りボトルとが組み合わされてなることを特徴とする洗眼セット。
【発明の詳細な説明】
【技術分野】
【０００１】
本発明は、洗眼液で眼を洗浄するときに使用する洗眼器および洗眼セットに関する。
【背景技術】
【０００２】
従来、図８（ａ）に示すように、筒部１から帽状の圧搾部２を延設した弾性変形可能な乳房状であって、洗眼時に圧搾部２に洗眼液を注いで、開口側の端縁を眼６の回りに押し当てるようにした洗眼器３がある（例えば、特許文献１参照）。
【０００３】
この洗眼器３は、不使用には、図８（ｂ）に示すように、筒部１を介して洗眼液入りボトル４の口部に、キャップ５の上から嵌合付設できるようになっている。
【０００４】
そして、洗眼時には洗眼液入りボトル４から洗眼器３を取外して逆さまにし、圧搾部２に洗眼液入りボトル４から洗眼液を注ぎ、開口側の端縁を眼６の回りに隙間無く押し当て、この状態で圧搾部２を指先で鎖線のように圧搾して洗眼液を加圧し、この加圧洗眼液を眼６の中に注ぎ入れて洗浄するようになる。
【特許文献１】実公平６−６８２８号公報
【発明の開示】
【発明が解決しようとする課題】
【０００５】
しかしながら、特許文献１の洗眼器３は、洗眼液入りボトル４から洗眼液を注入するときは、一方の手で洗眼器３を持ちつつ、他方の手で洗眼液入りボトル４を掴んで洗眼液を注入しなければならない。つまり、両手を使う必要があるという不具合があった。
【０００６】
本発明は、上記問題を解消するためになされたもので、洗眼器をほぼ水平状態で自立保持できるようにして、洗眼液入りボトルから洗眼液を注入する際に両手を使う必要が無くなるようにした洗眼器を提供することを課題とするものである。
【課題を解決するための手段】
【０００７】
上記課題を解決するために、本発明は、接眼部と液受部とでなる洗眼部と、つまみ部とが弾性変形可能な柔軟素材で一体成形されている洗眼器であって、上記洗眼部は楕円状に形成され、上記つまみ部には、長軸方向に偏平な偏平部が形成されるとともに、上記洗眼部には、つまみ部を下向きにした洗眼器をほぼ水平状態で自立保持させるためのアダプターが一体成形で設けられていることを特徴とする洗眼器を提供するものである。
【０００８】
請求項２のように、請求項１に記載の洗眼器と、洗眼液入りボトルとが組み合わされてなる洗眼セットとすることができる。
【発明の効果】
【０００９】
本発明によれば、つまみ部を下向きにした洗眼器をほぼ水平状態で自立保持させるためのアダプターを洗眼部に一体成形して設けたから、使用時において洗眼器に洗眼液を注入する際、洗眼器を一方の手で持っておく必要がなくなり、いずれかの手で洗眼液入りボトルを掴んで洗眼液を注入できるようになる。
【００１０】
また、弾性変形可能な柔軟素材で洗眼部とつまみ部とアダプターとを一体成形しているから、洗眼時に、液受部に洗眼液を注入し、接眼部を眼の周囲に押し当てた後に、下向き姿勢でアダプターを介してつまみ部を指でつまんでスクイズするだけで、水中での瞬きで得られる攪拌水流とほぼ同程度の強さで洗眼液が攪拌されるので、熟練を要する水中での瞬きをする必要が無くなって、使用時の簡便性が向上するようになる。なお、上向き姿勢でも洗眼が可能である。
【００１１】
さらに、つまみ部に偏平部を形成しているから、アダプターを介してのスクイズがしやすくなって、指先に力を込めてスクイズしなくても、軽い力でスムーズにスクイズできるようになる。
【００１２】
さらにまた、洗眼器全体は、弾性変形可能な柔軟素材（例えばエラストマー）であるので、柔らかい感触があり、洗眼部のフィット感も良好であるとともに、柔らかい弾性感でつまみ部をスクイズできるようになる。
【００１３】
また、接眼部を楕円状に形成して、つまみ部の偏平部を接眼部の長軸方向に偏平に形成したから、つまみ部をスクイズするときは、長軸方向の偏平部をアダプターを介して指先でつまんで短軸方向にスクイズすることになるので、楕円状の接眼部が変形しにくくなって、接眼部からの液漏れが生じにくくなる。
【００１４】
請求項２によれば、洗眼器と洗眼液入りボトルとを組み合わせた洗眼セットとすると、使用時に便利になり、衛生的に保管可能である。
【発明を実施するための最良の形態】
【００１５】
以下、本発明を実施するための最良の形態について、図面を参照しながら詳細に説明する。
【００１６】
図１〜図４は、参考例の洗眼器１０Ａであり、図１（ａ）は斜視図、（ｂ）は正面図、図２（ａ）は側面図、（ｂ）は平面図、図３（ａ）は底面図、（ｂ）は図２（ｂ）のＡ−Ａ線断面図、図４（ａ）は図２（ｂ）のＢ−Ｂ線断面図、（ｂ）は使用状態の斜視図である。
【００１７】
上記洗眼器１０Ａは、眼に周囲を押し当てる楕円状の接眼部１１と洗眼液を収容する円筒状の液受部１２とでなる洗眼部１３と、指でつまむための乳首状のつまみ部１４とを有していて、洗眼器１０Ａは、弾性変形可能な柔軟素材で一体成形されている。
【００１８】
上記洗眼器１０Ａは、図４（ｂ）に示したように、洗眼時には、洗眼器１０Ａを図４（ａ）の状態にして、洗眼液を液受部１２のレベルＷＬ（一点鎖線参照）まで注入して、接眼部１１を眼９（二点鎖線参照）の周囲に押し当てた後に、下向き姿勢のままでつまみ部１４を指９ａでつまんで何回かスクイズすると、水中での瞬きで得られる攪拌水流とほぼ同程度の強さで洗眼液が液受部１２内で攪拌されることにより、眼９を洗眼できるようになる。
【００１９】
上記洗眼器１０Ａを成形するための弾性変形可能な柔軟素材としては、弾性力と柔軟性とを有する素材であれば、特に規定されないが、成形性と耐薬品性と耐熱性とを有して、臭気を伴わないものが好ましい。また、必要に応じて抗菌活性を付与してもかまわない。さらに、安全性を考慮して昭和５７年厚生省告示第２０号、第１４改正日本薬局方  一般試験法に適合するものが好ましい。
【００２０】
具体的には、熱可塑性樹脂、シリコン樹脂、熱可塑性エラストマー、天然ゴム、ウレタンゴム等が挙げられ、これらを組み合わせても良い。
【００２１】
熱可塑性樹脂の場合、例えばオレフィン系樹脂では、熱可塑性エラストマーや水素添加スチレン系熱可塑性エラストマーを組み合わせることで、成形性が向上することが知られている。
【００２２】
熱可塑性エラストマーとしては、スチレン系、オレフィン系、ウレタン系、ポリエステル系、ポリアミド系、フッ素系、塩化ビニール系等の中から適宜に、成形性、耐薬品性、耐汚れ付着性、環境性、コスト等を考慮して選択されるが、中でもスチレン系、オレフィン系が好ましい。これらは単独で用いても良いし、複数を組み合わせて、例えば積層する等して用いても良い。
【００２３】
具体的には、旭化成社製のタフテック（登録商標）シリーズ  Ｈ１０５２、Ｈ１０５３、クラレ社製のセプトン（登録商標）シリーズ  ＣＪ００１、ＣＪ００２、ＣＪ１０１、ＣＪ１０２、リケンテクノ社製のレオストマシリーズ  ＬＪ−１０５０Ｎ、ＬＪ−１０６０Ｎ（スチレン系）、東洋紡社製のサーリンク（登録商標）シリーズ  ３１４０、３１６０、４１５５、４１５６（オレフィン系）等が挙げられる。
【００２４】
硬さは、ＪＩＳ  Ｋ６２５３（デュロメータータイプＡ）による測定値で５０〜８０、引張り強さと伸びは、ＪＩＳ  Ｋ６２５３（３号ダンベル  引張速度５００ｍｍ／ｍｉｎ）による測定値で５〜２０ＭＰａ、３００％引張応力が１．５〜５ＭＰａ程度の範囲であることを目安とする。
【００２５】
上記洗眼器１０Ａの各部の標準寸法は、図１（ｂ）のように、洗眼部１３の深さＤ１は１８ｍｍ、つまみ部１４の深さＤ２は１６ｍｍ、液受部１２の正面視幅Ｗ１は２８ｍｍ、つまみ部１４の基部の正面視幅Ｗ２は１６ｍｍ、図２（ａ）のように、液受部１２の側面視幅Ｗ３は２８ｍｍ、つまみ部１４の基部の側面視幅Ｗ４は１４ｍｍ、図２（ｂ）のように、接眼部１１の長軸方向の幅Ｗ５は４２ｍｍ、接眼部１１の短軸方向の幅Ｗ６は３２ｍｍ、各部の厚みは、０．８〜２ｍｍ程度であり、均一な厚みあるいは不均一な厚みとするかは適宜に選択することができる。上記標準寸法に対して、大きめ用や小さめ用等のように、洗眼器１０Ａのサイズを変更したい要望があるときは、比例的に拡大または縮小すれば良い。なお、本実施形態では、つまみ部１４の深さＤ２を１６ｍｍに設定したが、１５〜２５ｍｍの範囲が好ましく、つまみやすさだけを考えると、２０ｍｍ程度が最適である。本実施形態の標準寸法のように設定すれば、洗眼液の容量が３〜７ｍＬと少ない容量でも効率良く洗浄できる。
【００２６】
上記洗眼器１０Ａの接眼部１１が楕円状に形成されており、この接眼部１１の長軸方向に偏平な偏平部１４ａをつまみ部１４の対向部分に形成する。
【００２７】
上記洗眼部１３の液受部１２は、洗眼液が入る部分１２Ａと接眼部１１に繋ぐ部分１２Ｂとで形成されて、両部分１２Ａ，１２Ｂの間には、接眼部１１の長軸方向の両側に、接眼部１１と液受部１２の内面よりも外方に膨出した内面を有する空隙部１５が形成されている。
【００２８】
上記のように構成した洗眼器１０Ａであれば、洗眼器１０Ａは、弾性変形可能な柔軟素材で一体成形しているから、使用時に、液受部１２に洗眼液をレベルＷＬまで注入して、図４（ｂ）のように、洗眼部１１を眼９の周囲に押し当てた後に、下向き姿勢のままでつまみ部１４を指９ａでつまんで何回かスクイズすると、水中での瞬きで得られる攪拌水流とほぼ同程度の強さで洗眼液が液受部１２内で攪拌されるようになる。
【００２９】
このように、下向き姿勢のままで、つまみ部１４を指でつまんでスクイズするだけで、洗眼できるようになるから、熟練を要する水中での瞬きをする必要が無くなって、使用時の簡便性が向上するようになる。
【００３０】
また、つまみ部１４に偏平部１４ａを形成しているから、指先がつまみ部１４で不用意に滑らないのでスクイズしやすくなって、指先に力を込めてスクイズしなくても、軽い力でスムーズにスクイズできるようになる。
【００３１】
また、偏平部１４ａの構造が簡単であるとともに、指腹が密着して滑りにくくなる。
【００３２】
さらに、洗眼器１０Ａ全体は、弾性変形可能な柔軟素材（例えばエラストマー）であるので、柔らかい感触があり、洗眼部１３のフィット感も良好であるとともに、柔らかい弾性感でつまみ部１４をスクイズできるようになる。
【００３３】
また、接眼部１１が楕円状に形成されており、つまみ部１４の偏平部１４ａを接眼部１１の長軸方向に偏平に形成しているから、つまみ部１４をスクイズするときは、長軸方向の偏平部１４ａを指先でつまんで短軸方向にスクイズすることになるので、楕円状の接眼部１１が変形しにくくなって、接眼部１１からの液漏れが生じにくくなる。
【００３４】
さらに、つまみ部１４の基部の側面幅Ｗ２を１６ｍｍ、側面視幅Ｗ４を１４ｍｍとし、深さＤ２を約１６ｍｍに設定すると、つまみ部１４が細く長くなるので、指先９ａで過不足無くつまむことができて、つまみ力が液受部１２から接眼部１１に伝わりにくくなって、接眼部１１が変形しにくくなるので、接眼部１１からの液溢れが生じにくくなる。
【００３５】
さらにまた、洗眼部１３の接眼部１１と液受部１２との間に空隙部１５を形成しているから、下向き姿勢で洗眼する場合、眼９との間に液が充満した状態でつまみ部１４をスクイズすると、接眼部１１から液が溢れ出しやすくなるが、空気溜めである空隙部１５が液の逃げ場となるので、接眼部１１から液が溢れ出しにくくなる。また、空隙部１５によって、洗眼時の眼９に対する圧迫感が減少するようになる。さらに、つまみ力が液受部１２から接眼部１１に伝わりにくくなって、接眼部１１が変形しにくくなるので、接眼部１１からの液溢れが生じにくくなる。
【００３６】
上記洗眼器１０Ａは、つまみ部１４の偏平部１４ａに凸部１４ｂが形成されているが、図５の参考例の洗眼器１０Ｃのように、つまみ部１４の偏平部１４ａに凸部１４ｂが形成されていない構成とすることもできる。
【００３７】
図６は、上記いずれかの洗眼器１０Ａ，１０Ｃ（後述する洗眼器１０Ｄも同様。）と洗眼液入りボトル１７とが組み合わされてなる洗眼セットであり、（ａ）は斜視図、（ｂ）は要部拡大断面図である。
【００３８】
上記洗眼液入りボトル１７の口顎部１７ａにはキャップ１８が固定されて、このキャップ１８は、ヒンジ部１８ａによって蓋部１８ｂを開閉することができ、ノズル１８ｃから洗眼液を注出するようになっている。
【００３９】
上記洗眼器１０Ａ，１０Ｃの洗眼部１３の内部には、図２（ｂ）に示したように、不使用時に洗眼液入りボトル１７のキャップ１８に被せたときに、キャップ１８の外周に圧接可能な複数の突起１３ａが形成されている。このように、不使用時には、洗眼器１０Ａ，１０Ｃを洗眼液入りボトル１７のキャップ１８に被せて保持しておくことができるから、洗浄後の洗眼器１０Ａ，１０Ｃを乾燥した状態に保ったり、不使用時にほこりの付着を予防したり等、衛生的に保管したり、紛失を防止することができる。ここで、キャップ１は内キャップ、洗眼器１０Ａ，１０Ｃは外キャップとして取り扱うことができる。
【００４０】
このように、洗眼器１０Ａ，１０Ｃと洗眼液入りボトル１７とを組み合わせた洗眼セットとすると、使用時に便利になり、衛生的に保管可能である。なお、１回分の洗眼液を収納したボトルを複数本と、洗眼器１０Ａ，１０Ｃとをケースに収容した洗眼セットとすることもできる。
【００４１】
上記洗眼器１０Ａ，１０Ｃの液受部１２に洗眼液入りボトル１７から洗眼液を注入するときは、一方の手で洗眼器１０Ａ，１０Ｃを持ちつつ、他方の手で洗眼液入りボトル１７を掴んで洗眼液を注入しなければならない。つまり、両手を使う必要がある。
【００４２】
そこで、本発明では、洗眼器１０Ａ，１０Ｃをほぼ水平状態で自立保持できるようにして、洗眼液入りボトル１７から洗眼液を注入する際に両手を使う必要が無くなるように工夫した。
【００４３】
図７（ａ）（ｂ）は、上記洗眼器１０Ａ，１０Ｃのいずれかに、洗眼液入りボトル１７から洗眼液を注入するときに利用するアダプター１９を一体成形した洗眼器１０Ｄである。
【００４４】
図７（ａ）は、洗眼器１０Ｄの液受部１２に、つまみ部１４の外周囲を覆うアダプター１９を一体成形した本発明に係るタイプであり、図７（ｂ）は、洗眼器１０Ｄのつまみ部１４の先端にアダプター１９を一体成形した参考例のタイプである。このアダプター１９は、つまみ部１４に沿って液受部１２を一体成形しているから、当然のことながら、洗眼器１０Ｄと同じ弾性変形可能な柔軟素材である。
【００４５】
そして、液注入時に机上等２０にアダプター１９を置くと、洗眼器１０Ｄをほぼ水平状態で自立保持することができる。
【００４６】
これにより、一方の手で洗眼器１０Ｄを持っておく必要が無くなって、いずれかの手で洗眼液入りボトル１７を掴んで洗眼液を注入できるようになる。つまり、両手を使う必要が無くなる。
【００４７】
ここで、図７（ａ）の洗眼器１０Ｄのおけるアダプター１９は、つまみ部１４の形状に即して長軸方向に偏平に形成されることになるので、アダプター１９とつまみ部１４との間の隙間が狭いことから、つまみ部１４をつまむための指（例えば親指と人差し指）９ａ〔図４（ｂ）参照〕が隙間に入らないが、アダプター１９は柔軟素材で形成された洗眼器１０Ｄと一体成形されているので、アダプター１９を介して指９ａでつまみ部１４をつまんでスクイズすることができる。
【図面の簡単な説明】
【００４８】
【図１】洗眼器であり、（ａ）は斜視図、（ｂ）は正面図である。
【図２】（ａ）は側面図、（ｂ）は平面図である。
【図３】（ａ）は底面図、（ｂ）は図２（ｂ）のＡ−Ａ線断面図である。
【図４】（ａ）は図２（ｂ）のＢ−Ｂ線断面図、（ｂ）は使用状態の斜視図である。
【図５】洗眼器であり、（ａ）は斜視図、（ｂ）は図２（ｂ）のＡ−Ａ線に相当する断面図である。
【図６】洗眼器と洗眼液入りボトルとが組み合わされてなる洗眼セットであり、（ａ）は斜視図、（ｂ）は要部拡大断面図である。
【図７】（ａ）（ｂ）は、それぞれアダプターを一体成形した洗眼器の正面断面図である。
【図８】（ａ）は、従来の洗眼器の要部破断側面図、（ｂ）は、洗眼器を洗眼液容器体のキャップに嵌合付設した要部破断側面図である。
【符号の説明】
【００４９】
９      眼
９ａ    指
１０Ｄ  洗眼器
１１    接眼部
１２    液受部
１２Ａ  洗眼液が入る部分
１２Ｂ  接眼部に繋ぐ部分
１３    洗眼部
１４    つまみ部
１４ａ  偏平部
１５    空隙部
１７    洗眼液入りボトル
１８    キャップ
１９    アダプター
【図１】
2004337644.tif 000003
【図２】
2004337644.tif 000004
【図３】
2004337644.tif 000005
【図４】
2004337644.tif 000006
【図５】
2004337644.tif 000007
【図６】
2004337644.tif 000008
【図７】
2004337644.tif 000009
【図８】
2004337644.tif 000010